(57)【要約】【課題】デジタル放送受信機の選局を迅速に行う。【解決手段】一つの実施形態によれば、デジタル放送受信機は、記憶部、視聴時間監視部、及びランキングリスト作成部が設けられる。記憶部は、ユーザが視聴する累積視聴時間を記憶する。視聴時間監視部は、操作者のチャンネル切り替え指示により視聴時間を計測し、記憶部に記憶されている視聴時間記録表の更新を行い、更新された視聴時間記録表を記憶部に書き込む。ランキングリスト作成部は、視聴時間記録表に基づいて、時間帯毎に任意の数の番組比較用視聴時間の記録表を算出し、放送番組に合わせて視聴時間のランキングリストを作成する。デジタル放送受信機では、ランキングリストによりチャンネル選局が行われる。【選択図】  図１
2013219662.tif 000002
【特許請求の範囲】
【請求項１】
ユーザが視聴する累積視聴時間を記憶する記憶部と、
操作者のチャンネル切り替え指示により視聴時間を計測し、前記記憶部に記憶されている視聴時間記録表の更新を行い、更新された視聴時間記録表を前記記憶部に書き込む視聴時間監視部と、
前記視聴時間記録表に基づいて、時間帯毎に任意の数の番組比較用視聴時間の記録表を算出し、放送番組に合わせて視聴時間のランキングリストを作成するランキングリスト作成部と、
を具備し、前記ランキングリストによりチャンネル選局が行われることを特徴とするデジタル放送受信機。
【請求項２】
前記累積視聴時間は、チャンネル、曜日、及び時間帯毎に分類されることを特徴とする請求項１に記載のデジタル放送受信機。
【請求項３】
対象となる番組の視聴時間のインデックスをｋ、対象となる番組の存在する時間帯の視聴時間をＴｋ、視聴時間Ｔｋに含まれる番組放送時間をＢｋ、番組放送時間をＢａｌｌ、時間帯をＮ（ただし、０＜Ｎ≦２４）、時間帯Ｎに放送している最も短い放送時間をＭとすると、番組比較用視聴時間Ｔｂｈｓは、
2013219662.tif 000004
で表されることを特徴とする請求項１又は２に記載のデジタル放送受信機。
【請求項４】
前記チャンネル切り替え指示は、操作者が操作部を操作することにより実行されることを特徴とする請求項１乃至３のいずれか１項に記載のデジタル放送受信機。
【請求項５】
前記操作部は、リモートコントローラ、マウス、或いはキーボードであることを特徴とする請求項４に記載のデジタル放送受信機。
【請求項６】
前記リモートコントローラには割り当てボタンが設けられ、操作者が前記割り当てボタンを押すことによりダイレクトにチャンネル選局が行われ、画面表示されることを特徴とする請求項５に記載のデジタル放送受信機。
【請求項７】
操作者の手又は指によるジェスチャを認識する撮像部が設けられ、認識されたジェスチャ動作により前記チャンネル切り替え指示が実行されることを特徴とする請求項１乃至３のいずれか１項に記載のデジタル放送受信機。
【請求項８】
地上波デジタル放送、ＢＳ、ＣＳ、ＣＡＴＶの内、少なくともいずれか１つが画面表示されることを特徴とする請求項１乃至７のいずれか１項に記載のデジタル放送受信機。
【請求項９】
前記記憶部は、不揮発性メモリ又はＨＤＤであることを特徴とする請求項１乃至８のいずれか１項に記載のデジタル放送受信機。
【発明の詳細な説明】
【技術分野】
【０００１】
本発明の実施形態は、デジタル放送受信機に関する。
【背景技術】
【０００２】
テレビ放送のデジタル化が進行し、地上波デジタル放送の他に、ＢＳ（broadcasting satellite）、ＣＳ（communication satellite）、ＣＡＴＶ（cable television）等が加わり、テレビ放送では、近年チャンネル数が飛躍的に増大している。視聴可能な番組数が増加すると番組情報量が膨大になり、ユーザが必要な情報を迅速に取捨選択するのが困難になっている。
【０００３】
デジタル放送受信機では、ユーザが希望する放送局の選局に煩雑な複数のステップが必要となる問題点がある。また、地上波デジタル放送、ＢＳ・ＣＳ、ＣＡＴＶなどが記載される番組表の中からユーザの好みのチャンネル選局に時間がかかるという問題点がある。
【先行技術文献】
【特許文献】
【０００４】
【特許文献１】特開２００７−２５１３０１号公報
【発明の概要】
【発明が解決しようとする課題】
【０００５】
本発明は、選局を迅速に行うことができるデジタル放送受信機を提供することにある。
【課題を解決するための手段】
【０００６】
一つの実施形態によれば、デジタル放送受信機は、記憶部、視聴時間監視部、及びランキングリスト作成部が設けられる。記憶部は、ユーザが視聴する累積視聴時間を記憶する。視聴時間監視部は、操作者のチャンネル切り替え指示により視聴時間を計測し、記憶部に記憶されている視聴時間記録表の更新を行い、更新された視聴時間記録表を記憶部に書き込む。ランキングリスト作成部は、視聴時間記録表に基づいて、時間帯毎に任意の数の番組比較用視聴時間の記録表を算出し、放送番組に合わせて視聴時間のランキングリストを作成する。デジタル放送受信機では、ランキングリストによりチャンネル選局が行われる。
【図面の簡単な説明】
【０００７】
【図１】第１の実施形態に係るデジタル放送受信機の概略構成を示すブロック図である。
【図２】第１の実施形態に係るデジタル放送受信機の選局を示すフローチャート。
【図３】第１の実施形態に係る視聴時間記録表を示す図である。
【図４】第１の実施形態に係るランキングリストを示す図である。
【図５】第１の実施形態に係るランキングリストを示す図である。
【図６】第１の実施形態に係るランキングリストを示す図である。
【図７】第１の実施形態に係る視聴時間記録表の作成を説明する図である。
【図８】第１の実施形態に係るランキングリストの作成を説明する図である。
【図９】第１の実施形態に係るランキングリストの作成を示すフローチャート。
【図１０】第２の実施形態に係るデジタル放送受信機の概略構成を示すブロック図である。
【図１１】第２の実施形態に係るジェスチャ入力を説明する図である。
【発明を実施するための形態】
【０００８】
以下本発明の実施形態について図面を参照しながら説明する。
【０００９】
（第１の実施形態）
まず、第１の実施形態に係るデジタル放送受信機について、図面を参照して説明する。図１はデジタル放送受信機の概略構成を示すブロック図である。本実施形態では、視聴時間記録表とランキングリストを用いて選局を迅速に行っている。
【００１０】
図１に示すように、デジタル放送受信機９０には、操作受信部１１、制御部１２、チャンネル構成部１３、視聴時間監視部１４、表示装置１５、ランキングリスト作成部１６、記憶部１７、及び操作部１８が設けられる。
【００１１】
デジタル放送受信機９０は、地上波デジタル放送、ＢＳ（broadcasting satellite）、ＣＳ（communication satellite）、ＣＡＴＶ（cable television）等の放送波が入力される。
【００１２】
デジタル放送受信機９０は、視聴時間記録表を作成し、保存している。デジタル放送受信機９０は、番組表と連携して視聴時間の降順にランキング付けしたランキングリストを作成して、操作者（ユーザ）の１回の操作で操作者（ユーザ）の好みのチャンネル選局を可能にしている（詳細は後述）。
【００１３】
操作受信部１１は、操作者（ユーザ）が操作する操作部１８から出力される信号Ｓｒｅ１を入力し、操作情報である信号Ｓｓｊ１を制御部１２に出力する。ここでは、操作受信部１１にリモートコントローラ（リモコンとも呼称される）を用いている。この場合、信号Ｓｒｅ１は光信号となる。なお、リモートコントローラの代わりにキーボードやマウス等を用いてもよい。キーボードやマウス等を用いた場合、信号Ｓｒｅ１は電気信号となる。
【００１４】
制御部１２は、デジタル放送受信機９０内を統括制御する。制御部１２は、表示装置１５を制御する信号Ｓｓｇ１を表示装置１５に出力する。制御部１２は、視聴時間監視部１４を制御する信号Ｓｓｇ２を視聴時間監視部１４に出力する。制御部１２は、チャンネル構成部１３を制御する信号Ｓｓｇ３をチャンネル構成部１３に出力する。制御部１２は、ランキングリスト作成部１６を制御する信号Ｓｓｇ４をランキングリスト作成部１６に出力する。
【００１５】
視聴時間監視部１４は、制御部１２から出力される信号Ｓｓｇ２に基づいて動作する。視聴時間監視部１４は、記憶部１７との間で視聴時間記録表を含む信号Ｓｓｔ１のやり取りを行う。視聴時間監視部１４は、記憶装置１との間で視聴時間記録表を含む信号Ｓｓｔ２のやり取りを行う。視聴時間監視部１４は、ユーザが操作部１８で行うチャンネル切り替え指示により、操作者（ユーザ）が視聴する視聴時間を計測する。視聴時間監視部１４は、記憶部１７や記憶装置１に記憶されている視聴時間記録表を読み出して、視聴時間記録表の更新を行い、更新された視聴時間記録表を記憶部１７や記憶装置１に書き込む。
【００１６】
ランキングリスト作成部１６は、制御部１２から出力される信号Ｓｓｇ４に基づいて動作する。ランキングリスト作成部１６は、記憶部１７との間で視聴時間記録表を含む信号Ｓｓｔ１１のやり取りを行う。ランキングリスト作成部１６は、記憶装置１との間で視聴時間記録表を含む信号Ｓｓｔ２２のやり取りを行う。ランキングリスト作成部１６は、視聴時間記録表に基づいて、時間帯毎に任意の数の番組比較用視聴時間の記録表を算出し、放送番組に合わせて視聴時間のランキングリストを作成する（詳細は後述）。
【００１７】
ランキングリスト作成部１６は、チャンネル構成部１３との間でランキングリスト情報及び番組表を含む信号Ｓｒ２のやり取りを行う。ランキングリスト作成部１６は、表示装置１５にランキングリストや視聴時間記録表等の情報を含む信号Ｓｒ１を出力する。
【００１８】
チャンネル構成部１３は、制御部１２から出力される信号Ｓｓｇ３に基づいて動作する。チャンネル構成部１３は、表示装置１５に番組表などのチャンネル構成情報を含む信号Ｓｃｋ１を出力する。
【００１９】
記憶部１７は、デジタル放送受信機９０に設けられ、視聴時間記録表を含むデジタル放送受信機９０内の情報を記憶する。記憶装置１は、デジタル放送受信機９０の外部に設けられ、ＳＣＳＩ（small computer system interface）やｅｔｈｅｒｎｅｔ（Ｒ）を介して視聴時間記録表を含む情報を記憶する。記憶部１７及び記憶装置１は、不揮発性メモリが搭載されるＳＳＤ（solid state drive）やＨＤＤ（hard disk drive）から構成される。
【００２０】
表示装置１５は、制御部１２から出力される信号Ｓｓｇ１に基づいて動作する。表示装置１５は、地上波デジタル放送、ＢＳ（broadcasting satellite）、ＣＳ（communication satellite）、ＣＡＴＶ（cable television）などの番組を画面表示する。また、表示装置１５は、ランキングリストや視聴時間記録表等を適宜、画面表示する。なお、図示していないが、表示装置には、外部から信号が入力される場合もある。
【００２１】
デジタル放送受信機９０では、対象となる番組の視聴時間のインデックス（ただし、開始時間が含まれる視聴時間を１とする）をｋ、対象となる番組の存在する時間帯の視聴時間をＴｋ、視聴時間Ｔｋに含まれる番組放送時間をＢｋ、番組放送時間をＢａｌｌ、時間帯をＮ（ただし、０＜Ｎ≦２４）、時間帯Ｎに放送している最も短い放送時間をＭとすると、番組比較用視聴時間Ｔｂｈｓは、
【数１】
2013219662.tif 000003
で表される。ここで、時間帯Ｎの値が２４の場合、曜日毎に記憶されることと等価となる。時間帯Ｎの値が０．５の場合、３０分毎に区切って記憶されることと等価となる。なお、番組表が取得できない場合、上記（数１）を使用せずに、単純に曜日毎、時間帯毎の視聴時間を使用してランキングリストを作成するのが好ましい。
【００２２】
次に、デジタル放送受信機の選局方法について図２を参照して説明する。図２はデジタル放送受信機の選局を示すフローチャート、図２（ａ）及び図２（ｂ）は比較例のフローチャート、図２（ｃ）は本実施形態のフローチャートである。比較例のデジタル放送受信機では、本実施形態のデジタル放送受信機９０の視聴時間監視部１４やランキングリスト作成部１６が設けられず、ランキングリストや視聴時間記録表が作成されない。
【００２３】
図２（ａ）に示すように、地上波デジタル放送、ＢＳ、ＣＳ、ＣＡＴＶなどが記載されている番組表を用いた比較例のデジタル放送受信機では、ユーザが番組表を手めくりして当日の番組を探しだす（ステップＳ１）。
【００２４】
次に、操作者（ユーザ）は、当日の番組の中から好みの番組を放送するチャンネル（放送局）を選択し、希望のチャンネル番号（例えば、３ケタの番号入力）を操作部１８に入力して好みの番組を画面表示する（ステップＳ２）。
【００２５】
上述した比較例のデジタル放送受信機の場合、好みのチャンネルを探し出す作業と操作部１８への操作入力ステップ（３ケタの番号入力）が必要となり、時間がかかるという問題点がある。
【００２６】
図２（ｂ）に示すように、地上波デジタル放送、ＢＳ、ＣＳ、ＣＡＴＶなどが記載されている番組表が手元にない比較例のデジタル放送受信機では、まず、操作者（ユーザ）は、所定のボタンを１回或いは複数回押すことにより地上波デジタル放送、ＢＳ・ＣＳ、ＣＡＴＶの中から、例えばＣＡＴＶの選択を行う（ステップＳ１１）。
【００２７】
次に、操作者（ユーザ）は、例えばＴＶ番組リスト表ボタンを押して、当日のＣＡＴＶのＴＶ番組リスト表を表示装置１５に表示する（ステップＳ１２）。
【００２８】
続いて、操作者（ユーザ）は、ＴＶ番組リスト表の画面をスクロールして当日のＣＡＴＶのＴＶ番組全体の内容を確認する（ステップＳ１３）。
【００２９】
そして、操作者（ユーザ）は、好みの番組があるかどうかの判定を行う。好みの番組がある場合には、チャンネル（放送局）を選択して好みの番組を画面表示する（ステップＳ１４）。好みの番組がない場合、ステップＳ１１に戻り好みの番組探しを続行する。
【００３０】
上述した比較例のデジタル放送受信機の場合、少なくとも４回以上の作業ステップが必要となり、選局作業が煩雑であり時間がかかるという問題点がある。
【００３１】
図２（ｃ）に示すように、本実施例のデジタル放送受信機９０は、ランキングリストの最上位のチャンネル（放送局）へのアクセスを直接行うことができる割り当てボタンが操作部１８であるリモートコントローラ（図示しない）に設けられている。
【００３２】
本実施例のデジタル放送受信機９０では、操作者（ユーザ）が割り当てボタンを押ことにより、当日、当時間帯での操作者（ユーザ）の好みの番組を画面表示する（ステップＳ２１）。
【００３３】
このため、本実施例のデジタル放送受信機９０では、煩雑な作業や複雑な作業が不要となり、割り当てボタンを押すだけの１回の作業で好みの番組を画面表示することができる。したがって、選局を迅速に行うことが可能となる。
【００３４】
次に、デジタル放送受信機の選局操作の迅速化について、図３乃至９を参照して詳細に説明する。図３は視聴時間記録表を示す図である。図４乃至６はランキングリストを示す図である。図４（ａ）は放送時間Ｍが０．２５の場合、図４（ｂ）は放送時間Ｍが０．５の場合である。図５（ａ）は放送時間Ｍが０．２５の場合、図５（ｂ）は放送時間Ｍが０．５の場合である。図７は視聴時間記録表の作成を説明する図である。図８はランキングリストの作成を説明する図である。図９はランキングリストの作成を示すフローチャート。
【００３５】
図３に示すように、視聴時間監視部１４で作成される視聴時間記録表は、曜日、時間帯、放送局（チャンネル）、累積視聴時間（ｈ）に分類される。ここでは、時間帯Ｎの値は、０．２５（１５分）に設定されている。この視聴時間記録表では、曜日が月曜日、時間帯が１８：００−１８：１５、放送局（チャンネル）がβの場合に累積視聴時間が１０００ｈと一番大きい。これに対して、曜日が月曜日、時間帯が１８：４５−１９：００、放送局（チャンネル）がαの場合に累積視聴時間が１０ｈと一番小さい。
【００３６】
図４（ａ）に示すように、ここでは、放送時間Ｍが０．２５（１５分）、Ｎ≦Ｍ、現在時間が１８：００−１８：１５の間、ランキング付けの対象を番組Ａと番組Ｅとする。
【００３７】
それぞれの値を（数１）に代入すると、番組Ａの比較用視聴時間ＴｂｈｓＡは１００ｈ、番組Ｅの比較用視聴時間ＴｂｈｓＥは６０ｈとなり、ランキングの最上位が放送局（チャンネル）ａとなる。
【００３８】
図４（ｂ）に示すように、ここでは、放送時間Ｍが０．５（３０分）、Ｎ≦Ｍ、現在時間が１８：００−１８：１５の間、ランキング付けの対象を番組Ａと番組Ｅとする。
【００３９】
それぞれの値を（数１）に代入すると、番組Ａの比較用視聴時間ＴｂｈｓＡは１３０ｈ、番組Ｅの比較用視聴時間ＴｂｈｓＥは２００ｈとなり、ランキングの最上位が放送局（チャンネル）βとなる。
【００４０】
図５（ａ）に示すように、ここでは、放送時間Ｍが０．２５（１５分）、Ｍ≦Ｎ、現在時間が１８：００−１８：１５の間、ランキング付けの対象を番組Ａと番組Ｅとする。
【００４１】
それぞれの値を（数１）に代入すると、番組Ａの比較用視聴時間ＴｂｈｓＡは６５ｈ、番組Ｅの比較用視聴時間ＴｂｈｓＥは１００ｈとなり、ランキングの最上位が放送局（チャンネル）βとなる。
【００４２】
図５（ｂ）に示すように、ここでは、放送時間Ｍが０．５（３０分）、Ｍ≦Ｎ、現在時間が１８：００−１８：１５の間、ランキング付けの対象を番組Ａと番組Ｅとする。
【００４３】
それぞれの値を（数１）に代入すると、番組Ａの比較用視聴時間ＴｂｈｓＡは１３０ｈ、番組Ｅの比較用視聴時間ＴｂｈｓＥは２００ｈとなり、ランキングの最上位が放送局（チャンネル）βとなる。
【００４４】
次に、番組の開始／終了時間がＮ時間アラインに合致しない場合について説明する。ここでは、番組の開始／終了時間が視聴時間記録に出てくる時間であればその番組はＮ時間アラインとし、番組の開始／終了時間が視聴時間記録に出てくる時間でなければその番組はＮ時間アラインでないとしている。
【００４５】
図６に示すように、ここでは、Ｎ時間アラインではなく、放送時間Ｍが０．２５（１５分）、時間帯Ｎが０．２５（１５分）、現在時間が１８：０５−１８：２０の間、ランキング付けの対象を番組Ｂと番組Ｅとする。
【００４６】
視聴時間を２つに分類（１８：００−１８：１５、１８：１５−１８：３０）して、それぞれの値を（数１）に代入すると、番組Ｂの比較用視聴時間ＴｂｈｓＢは１２０ｈ、番組Ｅの比較用視聴時間ＴｂｈｓＥは１００ｈとなり、ランキングの最上位が放送局（チャンネル）ａとなる。
【００４７】
図７に示すように、視聴時間記録表の作成では、まず、操作者（ユーザ）が操作部１８を操作してチャンネル切り替え指示を操作受信部１１に行う。
【００４８】
ここでは、記憶部１７を用いているが記憶装置１を代わりに用いてもよい。
【００４９】
次に、操作受信部１１は、チャンネル切り替え指示を受けて、チャンネル切り替えを制御部１２に通知する。
【００５０】
続いて、制御部１２は、チャンネル切り替え通知を受けて、視聴時間の計測開始を視聴時間監視部１４に指示する。
【００５１】
そして、視聴時間監視部１４は、記憶部１７に記憶されている当日の曜日、時間帯での視聴時間記録表の読み出し要求を行う。
【００５２】
次に、記憶部１７は、読み出し要求を受けて、視聴時間記録表を視聴時間監視部１４に送付する。
【００５３】
続いて、視聴時間監視部１４は、時間帯毎に視聴時間記録表の更新を行う。視聴時間監視部１４は、更新された視聴時間記録表を記憶部１７に書き込む。
【００５４】
そして、記憶部１７は、読み出し要求を受けて視聴時間記録表の書き込みを行い、書き込みしたことを視聴時間監視部１４に通知する。
【００５５】
以上は、操作者（ユーザ）のチャンネル切り替え指示毎に作業が繰り返し実行される。
【００５６】
図８に示すように、ランキングリストの作成では、まず、任意のタイミングで、制御部１２がランキングリストの作成をランキングリスト作成部１６に要求する。
【００５７】
次に、ランキングリスト作成部１６は、記憶部１７に記憶されている当日の曜日、時間帯での視聴時間記録表の読み出し要求を行う。記憶部１７は、任意の時間帯での視聴時間記録表をランキングリスト作成部１６に送付する。
【００５８】
そして、ランキングリスト作成部１６は、送付された視聴時間記録表に基づいて、任意の数の番組比較用視聴時間記録表の算出を行う。
【００５９】
図９に示すように、放送番組に合わせた視聴時間のランキングリストの作成では、まず、制御部１２の指示により、ランキングリスト作成部１６が当日の曜日での視聴時間記録表の取得を行う（ステップＳ３１）。ここでは、記憶部１７を用いているが記憶装置１を代わりに用いてもよい。
【００６０】
次に、記憶部１７が対応する視聴時間記録表をランキングリスト作成部１６に送付する（ステップＳ３２）。
【００６１】
続いて、ランキングリスト作成部１６は、記憶部１７から本日の番組表を取得する（ステップＳ３３)。
【００６２】
そして、ランキングリスト作成部１６は、算出していない番組の有無の判定を行い、算出していない番組が無い場合は、放送番組に合わせて視聴時間のランキングリストを作成する（ステップＳ３４）。
【００６３】
算出していない番組が有る場合は、ランキングリスト作成部１６は、時間帯毎に任意の数の番組比較用視聴時間記録表の算出を行う。番組比較用視聴時間記録表の算出が終了すると、ランキングリスト作成部１６は、放送番組に合わせて視聴時間のランキングリストを作成する。
【００６４】
なお、深夜のテレビ番組を放送していないときや、普段電源をオフしている時間帯に、直近の番組表からランキングリストを作成しておくのが好ましい。
【００６５】
上述したように、本実施形態のデジタル放送受信機では、操作受信部１１、制御部１２、チャンネル構成部１３、視聴時間監視部１４、表示装置１５、ランキングリスト作成部１６、記憶部１７、及び操作部１８が設けられる。視聴時間監視部１４は、操作者（ユーザ）が視聴する視聴時間を計測し、視聴時間記録表の更新を実行する。ランキングリスト作成部１６は、視聴時間記録表に基づいて、時間帯毎に任意の数の番組比較用視聴時間の記録表を算出し、放送番組に合わせて視聴時間のランキングリストを作成する。リモートコントローラに設けられた割り当てボタンにより、当日、当時間帯の好みの番組が画面表示される。
【００６６】
このため、煩雑な作業や複雑な作業が不要となり、割り当てボタンを押すだけの１回の作業で好みの番組を画面表示することができる。したがって、デジタル放送受信機９０では、選局を迅速に行うことができる。
【００６７】
なお、本実施形態では、番組表が放送波から取得できない場合、例えばインターネット経由で番組表を取得して番組毎にランキングリストを作成するのが好ましい。
【００６８】
また、本実施形態では、視聴時間記録表をオンラインストレージ等に保存し、多数のユーザ（人）の視聴時間記録表をダウンロードすることにより、現在人気の番組や放送局を簡単に選択することが可能となる。
【００６９】
（第２の実施形態）
次に、本発明の第２の実施形態に係るデジタル放送受信機について、図面を参照して説明する。図１０はデジタル放送受信機の概略構成を示すブロック図である。図１１はジェスチャ入力を説明する図である。本実施形態では、操作者（ユーザ）の手で形成されるジェスチャ動作によりデジタル放送受信機の操作が行われる。
【００７０】
以下、第１の実施形態と同一構成部分には、同一符号を付してその部分の説明を省略し、異なる部分のみ説明する。
【００７１】
図１０に示すように、デジタル放送受信機９１には、制御部１２ａ、チャンネル構成部１３、視聴時間監視部１４、表示装置１５ａ、ランキングリスト作成部１６、記憶部１７、及び撮像部１９が設けられる。デジタル放送受信機９１は、地上波デジタル放送、ＢＳ、ＣＳ、ＣＡＴＶ等の放送波が入力される。
【００７２】
デジタル放送受信機９１は、視聴時間記録表を作成し、保存している。デジタル放送受信機９１は、番組表と連携して視聴時間の降順にランキング付けしたランキングリストを作成して、操作者（ユーザ）のジェスチャにより操作者３（ユーザ）の好みのチャンネル選局を可能にしている。
【００７３】
撮像部１９は、操作者３のジェスチャを認識して、認識されたジェスチャ情報を含む信号Ｓｓｚ１を制御部１２ａに送付する。
【００７４】
制御部１２ａは、デジタル放送受信機９１内を統括制御する。制御部１２ａは、表示装置１５ａを制御する信号Ｓｓｇ１ａを表示装置１５に出力する。制御部１２ａは、視聴時間監視部１４を制御する信号Ｓｓｇ２を視聴時間監視部１４に出力する。制御部１２ａは、チャンネル構成部１３を制御する信号Ｓｓｇ３をチャンネル構成部１３に出力する。制御部１２ａは、ランキングリスト作成部１６を制御する信号Ｓｓｇ４をランキングリスト作成部１６に出力する。
【００７５】
図１１に示すように、ジェスチャ入力では、表示装置１５ａの上部に載置される撮像部１９により、例えば操作者３（ユーザ）の手４の形状が認識される。ここでは、撮像部１９にＴＯＦ（time of flight）カメラを用いているが、代わりにｗｅｂカメラやＶＧＡカメラなどを適用してもよい。ｗｅｂカメラやＶＧＡカメラの場合、２台を所定距離離間配置するのが好ましい。
【００７６】
撮像部１９が手４の形状を認識すると、表示装置１５ａの中央部にアイコン２１が表示される。表示されたアイコン２１は、手４の動き（例えば、人さし指の動き）に連動して左右、上下に動く。また、表示装置１５ａの下端に仮想スイッチ２２ａ乃至２２ｄが表示される。
【００７７】
ここで、アイコン２１、仮想スイッチ２２ａ乃至２２ｄは、表示装置１５ａに映像が画面表示されている場合、映像に対して強調表示するのが好ましい。
【００７８】
操作者３（ユーザ）は、手４のジェスチャ動作により、アイコン２１を仮想スイッチ２２ａ乃至２２ｄのいずれかの仮想スイッチまで動かして仮想スイッチ内のボタンを選択する。このため、仮想スイッチ２２ａ乃至２２ｄは、第１の実施形態の操作部１８と同様の操作に対応することできる。
【００７９】
上述したように、本実施形態のデジタル放送受信機では、制御部１２ａ、チャンネル構成部１３、視聴時間監視部１４、表示装置１５ａ、ランキングリスト作成部１６、記憶部１７、及び撮像部１９が設けられる。撮像部１９は、操作者３のジェスチャを認識し、制御部１２ａにジェスチャ情報を送付する。視聴時間監視部１４は、操作者３のジェスチャに基づいて、視聴する視聴時間を計測し、視聴時間記録表の更新を実行する。ランキングリスト作成部１６は、視聴時間記録表に基づいて、時間帯毎に任意の数の番組比較用視聴時間の記録表を算出し、放送番組に合わせて視聴時間のランキングリストを作成する。操作者３のジェスチャにより、当日、当時間帯の好みの番組が画面表示される。
【００８０】
このため、煩雑な作業や複雑な作業が不要となり、操作者３のジェスチャにより、好みの番組を画面表示することができる。したがって、デジタル放送受信機９１では、選局操作を迅速に行うことができる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１  記憶装置
３  操作者
４  手
１１  操作受信部
１２、１２ａ  制御部
１３  チャンネル
１４  視聴時間監視部
１５、１５ａ  表示装置
１６  ランキングリスト作成部
１７  記憶部
１８  操作部
１９  撮像部
２１  アイコン
２２ａ〜ｄ  仮想スイッチ
９０、９１  デジタル放送受信機
Ｓｃｋ１、Ｓｒ１〜２、Ｓｒｅ１、Ｓｓｇ１〜４、Ｓｓｇ１ａ、Ｓｓｊ１、Ｓｓｔ１、Ｓｓｔ１１、Ｓｓｔ２、Ｓｓｔ２２、Ｓｓｚ１  信号
【図１】
2013219662.tif 000005
【図２】
2013219662.tif 000006
【図３】
2013219662.tif 000007
【図４】
2013219662.tif 000008
【図５】
2013219662.tif 000009
【図６】
2013219662.tif 000010
【図７】
2013219662.tif 000011
【図８】
2013219662.tif 000012
【図９】
2013219662.tif 000013
【図１０】
2013219662.tif 000014
【図１１】
2013219662.tif 000015